(57)【要約】      （修正有）【課題】生体内の目的部位の形状に合わせた形状付けが容易なガイドワイヤを提供する。【解決手段】ガイドワイヤは、先端部が形状付け可能な部位を有する芯材１０と、芯材の先端部を包囲し、芯材を形状付けする際の指標となる目印部を有する造影部材２０と、を有する。【効果】ガイドワイヤは目印部を有しており、手技の経験が少ない術者であっても目印部を頼りにガイドワイヤを所望の形状に精度よく形状づけして目的部位に円滑に導入することができる。【選択図】図３
2015065979.tif 000002
【特許請求の範囲】
【請求項１】
先端部に形状付け可能な部位を有する芯材と、
前記芯材の前記先端部を包囲し、前記芯材を形状付けする際の指標となる目印部を有する造影部材と、を有するガイドワイヤ。
【請求項２】
前記目印部は、先端から前記芯材の形状付けが可能な境界に至るまで長手方向に所定間隔で設けたことを特徴とする請求項１に記載のガイドワイヤ。
【請求項３】
前記目印部は、前記長手方向に複数設け、隣り合う色を異ならせるように構成する請求項１または２に記載のガイドワイヤ。
【請求項４】
前記目印部は、前記芯材を前記形状付けする際の指標となり、かつ、周方向において前記芯材の形状付けが可能な方向を示す部位を示すことを特徴とする請求項１〜３のいずれか１項に記載のガイドワイヤ。
【発明の詳細な説明】
【技術分野】
【０００１】
本発明は、カテーテルを生体に導入する際等に用いられるガイドワイヤに関する。
【背景技術】
【０００２】
カテーテルを病変部に導入して手技を行うにあたり、カテーテルを目的部位まで案内する医療器具にガイドワイヤがある。ガイドワイヤはカテーテルを目的部位へと案内するため、表面が滑りやすかったり、手元側での操作が先端側に伝わるように剛性を備えることが要求される。また、上記に加えて屈曲した血管内を進入していけるように、ガイドワイヤの形状を血管の形状に近づけるように形状付けできることも要求される（特許文献１参照）。
【先行技術文献】
【特許文献】
【０００３】
【特許文献１】特開２００８―１５５０５２号公報
【発明の概要】
【発明が解決しようとする課題】
【０００４】
しかし、ガイドワイヤを術者が形状付けする際においても、術者がこれまでに担当してきた手技の種類や経験によってはガイドワイヤを血管の形状に合わせて形状付けすることに時間がかかり、ガイドワイヤを生体内の目的部位に円滑に導入できない場合がある。
【０００５】
そこで本発明は上述した課題を解決するために発明されたものであり、生体内の目的部位の形状に合わせた形状付けが容易なガイドワイヤを提供することを目的とする。
【課題を解決するための手段】
【０００６】
上記目的を達成する本発明に係るガイドワイヤは、先端部に形状付け可能な部位を有する芯材と、前記芯材の前記先端部を包囲し、前記芯材を形状付けする際の指標となる目印部を有する造影部材と、を有する。
【発明の効果】
【０００７】
本発明に係るガイドワイヤは、形状付けする際の指標となる目印部を有しており、目印部に沿ってガイドワイヤを形状付けることができる。よって、手技の経験が少ない術者であっても目印部を頼りにガイドワイヤを所望の形状に精度よく形状づけして目的部位に円滑に導入することができる。
【図面の簡単な説明】
【０００８】
【図１】本発明の実施形態１に係るガイドワイヤを示す斜視図である。
【図２】同ガイドワイヤの先端部分に設けられた造影部材を示す拡大図である。
【図３】同ガイドワイヤの側面図である。
【図４】図４（Ａ）は同ガイドワイヤの芯材を示す斜視図、図４（Ｂ）は同ガイドワイヤを示す側面図である。
【図５】図５（Ａ）は本発明の実施形態２に係るガイドワイヤの先端部分に設けられた造影部材を示す斜視図、図５（Ｂ）は同ガイドワイヤの先端部分に設けられた造影部材の正面図である。
【発明を実施するための形態】
【０００９】
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。
【００１０】
（実施形態１）
本実施形態に係るガイドワイヤは、経皮経管的冠動脈形成術（ＰＴＣＡ）において狭心症の治療等を行う際に使用される。本実施形態に係るガイドワイヤは、先端部に形状付け可能な部位を有する芯材と、芯材の先端部を包囲し、芯材を形状付けする際の指標となる目印部を有する造影部材と、を有する。以下、詳述する。
【００１１】
芯材は、先端部と移行部および本体部（手元側の部分）からなることが好ましい。先端部にはＸ線造影部材が設けられており、ほぼ均一な外径を有していることが好ましい。先端部がほぼ均一な外径を有していることで、軸方向にほぼ同じ柔軟性を有する。また先端部は移行部と本体部と比較して最も柔軟性が高い部分である。移行部は、その基端から先端方向に向かって縮径している部分である。一定の割合でテーパー状に細径化しているもの（テーパー部とも言い換えることができる）、段階的に径が小さく変化するもの等、先端部と本体部の剛性の物性を急激に変化させることないようなものであればどのような構成でもかまわない。移行部を備えることによって局所的に応力が集中せずに折れ曲がる（キンク）ことがない。本体部は、移行部の基端側に延びる部分であり、先端部よりも太い。これは、手元で加えたトルクや、ガイドワイヤを挿入するために手元で加えた軸方向への力（押し込み力）を最大限に先端部へ伝えるためである。後述するように芯材は、本体部が略円筒のような断面形状をし、先端部が平板のような形状をしており、移行部は、先端部と本体部とを結んでいる。
【００１２】
該芯材の先端部には該造影部材の先端側に膨出部が設けられているのが好ましい。該膨出部は、造影部材の移動を防止しており、特に造影部材の先端側の移動を防止している。膨出部は、環状の造影部材と固定されていることが好ましい。固定の方法は、ロウ付けや接着剤の他、金属製の環状造影部材自身を溶解させて固定させてもよい。造影部材は芯材と密着していても、間隔があってもかまわないが、造影部材がガイドワイヤ先端側への移動を防止できるような径が膨出部にあればよいが、具体的には、造影部材が環状の場合その内径よりも大きい径を備えていれば良い。膨出部の形状は、球状、砲弾状、半球状、紡錘状などがある。膨出部は、芯材の先端を造影部材を固定した後に、造影部材の先端側の芯材を溶融して、所定の形状にして作成する方法や、所定形状の膨出部を芯材先端に固定する方法があるが、膨出部と芯材が同一材料で一体化されているので、芯材先端を溶融する方法が好ましい。
【００１３】
芯材は、先端移行部と本体部で構成されていても構わない。この場合の先端移行部は、本体部から連続して設けられていることになるので、一定外径の本体部の外径と同じ外径から先端に行くに従ってテーパー状に縮径する構造となる。Ｘ線造影部材は、先端移行部に所定間隔を持って設けられることになる。この他、芯材は先端から基端まで一定外径であってもよい。膨出部を設ける場合は、先端移行部の先端側に設けられることになる。また、芯材の先端側に形状付け可能な線材を延出させた状態で設けて形状付け可能な部位としてもよい。
【００１４】
Ｘ線造影部材は、芯材の先端部を覆うように所定長さにわたって設けられている。Ｘ線造影部材は、コイル状（またはスプリング状）やパイプ状などの環状の部材である他、芯材に金属のＸ線不透過材料をメッキする方法や微粒子状Ｘ線造影剤を樹脂に高い比率で混合したものなど、ガイドワイヤをＸ線透視下で使用する際にガイドワイヤ先端が見えやすいものであれば何でもよい。
【００１５】
環状のＸ線造影部材である場合は、設けられた造影部材の先端側に前記膨出部が設けられているが、造影部材と膨出部がその側面で当接することが好ましい。当接することで、造影部材の固定が確実になる。
【００１６】
Ｘ線造影部材の外径は、ガイドワイヤの操作性とＸ線造影性を満たしていれば特に制限は無いが、造影部材の外径が大きい程Ｘ線造影性が優れる。また、造影部材の外径は、芯材の外径の内最も太い箇所と同じか小さいことでトルク伝達が容易になる。前述のような先端部・移行部・本体部の三つの部分をもつ芯材の場合は、最も太い外径の本体部の外径と比較して造影部材の外径が同じか小さくなる。
【００１７】
ガイドワイヤの外表面には、その全体（または一部）を覆う樹脂被覆層が設けられている。この樹脂被覆層は、種々の目的で形成することができるが、その一例として、ガイドワイヤの摩擦（摺動抵抗）を低減し、摺動性を向上させることによってガイドワイヤの操作性を向上させることがある。ガイドワイヤの摩擦（摺動抵抗）の低減を図るためには、樹脂被覆層は、以下に述べるような摩擦を低減し得る材料で構成されているのが好ましい。これにより、ガイドワイヤとともに用いられるカテーテルの内壁との摩擦抵抗（摺動抵抗）が低減されて摺動性が向上し、カテーテル内でのガイドワイヤの操作性がより良好なものとなる。また、ガイドワイヤの摺動抵抗が低くなることで、ガイドワイヤ１をカテーテル内で移動および／または回転した際に、ガイドワイヤのキンク（折れ曲がり）やねじれをより確実に防止することができる。このような摩擦を低減し得る材料としては、例えば、ポリエチレン、ポリプロピレン等のポリオレフィン、ポリ塩化ビニル、ポリエステル（ＰＥＴ、ＰＢＴ等）、ポリアミド、ポリイミド、ポリウレタン、ポリスチレン、ポリカーボネート、シリコーン樹脂、フッ素系樹脂（ＰＴＦＥ、ＥＴＦＥ等）、またはこれらの複合材料が挙げられる。
【００１８】
また、樹脂被覆層は、ガイドワイヤを血管等に挿入する際の安全性の向上を目的として設けることもできる。この目的のためには、樹脂被覆層は柔軟性に富む材料（軟質材料、弾性材料）で構成されているのが好ましい。このような柔軟性に富む材料としては、例えば、ポリエチレン、ポリプロピレン等のポリオレフィン、ポリ塩化ビニル、ポリエステル（ＰＥＴ、ＰＢＴ等）、ポリアミド、ポリイミド、ポリウレタン、ポリスチレン、シリコーン樹脂、ポリウレタンエラストマー、ポリエステルエラストマー、ポリアミドエラストマー等の熱可塑性エラストマー、ラテックスゴム、シリコーンゴム等の各種ゴム材料、またはこれらのうちに２以上を組み合わせた複合材料が挙げられる。
【００１９】
なお、樹脂被覆層は、その全体が同一の材料で構成されている場合に限らず、ガイドワイヤの長手方向の途中でその構成材料が異なっていてもよい。また、樹脂被覆層８は、単層のものであってもよいし、２層以上の積層体（例えば、内側の層が外側の層に比べより柔軟な材料で構成されたもの）でもよい。また、ガイドワイヤの少なくとも先端部の外面には、親水性材料がコーティングされているのが好ましい。これにより、親水性材料が湿潤して潤滑性を生じ、ガイドワイヤの摩擦（摺動抵抗）が低減し、摺動性が向上する。
【００２０】
従って、ガイドワイヤ１の操作性が向上する。親水性材料としては、例えば、セルロース系高分子物質、ポリエチレンオキサイド系高分子物質、無水マレイン酸系高分子物質（例えば、メチルビニルエーテル−無水マレイン酸共重合体のような無水マレイン酸共重合体）、アクリルアミド系高分子物質（例えば、ポリアクリルアミド、ポリグリシジルメタクリレート−ジメチルアクリルアミド（ＰＧＭＡ−ＤＭＡＡ）のブロック共重合体）、水溶性ナイロン、ポリビニルアルコール、ポリビニルピロリドン等が挙げられる。このような親水性材料は、多くの場合、湿潤（吸水）により潤滑性を発揮し、ガイドワイヤとともに用いられるカテーテルの内壁との摩擦抵抗（摺動抵抗）を低減する。これにより、ガイドワイヤの摺動性が向上し、カテーテル内でのガイドワイヤの操作性がより良好なものとなる。
【００２１】
本発明のガイドワイヤのＸ線造影部材としては、高Ｘ線造影性すなわちＸ線不透過性物質であり、その他に白金、銀、ビスマス、タングステンまたはこれらのうち２種類以上の合金（例えば、白金−タングステン）、もしくは他の金属との合金（例えば、金−イリジウム、白金−イリジウム）などが挙げられる。また、造影部材の表面にはさらに別の材料をメッキしてもよい。
【００２２】
芯材の材料としては、血管の追従性を備えた適度な柔軟性、先端までトルクを伝達でき、手元での押し込み力を先端まで伝える剛性等を備える材料であれば、制限はないが、ステンレス、超弾性金属、アモルファス金属などが挙げられる。その中では超弾性の特性を示す超弾性金属線であるものが好ましい。超弾性金属線としては、Ｎｉ −Ｔｉ合金、Ｃｕ−Ｚｎ−Ｘ合金（Ｘ＝Ｂｅ、Ｓｉ，Ｓｎ ，Ａｌ，Ｇａ）、Ｎｉ−Ａｌ合金であり、好ましくはＮｉ−Ｔｉ合金である。なお、柔軟性の性質を増すために超弾性特性をさほど備えていないＮｉ−Ｔｉ合金であってもかまわない。
【００２３】
芯材がＮｉ−Ｔｉ合金超弾性線である場合は、本体部と先端部で剛性などの物性を変化させたものであっても良い。特に、本体部をトルク伝達性の良好な物性にすることが好ましい。トルク伝達性が良好な物性とは、Ｎｉ−Ｔｉ合金超弾性線の応力−歪み曲線において、弾性域での略直線状応力歪み線が、マルテンサイト相が応力誘起される変態開始応力点で角度を変えてそれ以降の略直線となるものである。さらに、本体部は加工硬化Ｎｉ−Ｔｉ合金線で、中間部がＮｉ−Ｔｉ合金超弾性線で、先端部は塑性変形可能なＮｉ−Ｔｉ合金線であると、本体部は剛性が高く押し込み性が良好であり、本体部は湾曲した血管の追従性やトルク伝達性が優れており、先端部は好みの先端形状に変えられて、挿入が容易になる。
【００２４】
次に実施形態１に係るガイドワイヤについて図面を参照して説明する。図１は本発明の実施形態１に係るガイドワイヤを示す斜視図、図２は同ガイドワイヤの先端部分に設けられた造影部材を示す拡大図、図３は同ガイドワイヤの側面図である。図４（Ａ）は同ガイドワイヤの芯材を示す斜視図、図４（Ｂ）は同芯材を示す側面図である。
【００２５】
本発明の実施形態１に係るガイドワイヤ１００は、上記のように芯材１０と、Ｘ線造影部材２０と、目印部２１，２２と、膨出部２３，２４と、を有する。
【００２６】
ガイドワイヤ１００の全長は、特に限定されないが、２００〜５０００ｍｍ程度であるのが好ましい。また、ガイドワイヤ１００の外径は、特に限定されないが、０．２〜１．２ｍｍ程度であるのが好ましい。
【００２７】
芯材１０は、図４（Ａ）、図４（Ｂ）に示すように先端部１１と移行部１２および本体部１３からなる。先端部１１は平板に形成されており、材料自体の超弾性を発揮させないようにすることによって術者による形状付けを可能にしている。芯材１０の先端部１１の外径は、特に限定されないが、０．０２ｍｍ〜０．１０ｍｍ程度であるのが好ましい。また、先端部１１の長さは、特に限定されないが、５ｍｍ〜５０ｍｍ程度が好ましい。移行部１２は、その基端から先端方向に向かって縮径している部分で本実施形態では一定の割合でテーパー状に細径化しているもので、テーパー部とも言い換えることができる。移行部１２の長さは、特に限定されないが、３０ｍｍ〜６００ｍｍ程度が好ましい。移行部１２を有することにより外径の異なる本体部１３と先端部１１の曲がり易さ（柔軟性）を先端に行くに従って大きくできる、すなわち柔らかくすることができて、急激に曲がり易さが変化することがなく柔軟性が先端に行くに連れて連続的に高くなり、局部的に折れ曲がること（キンク）がない。本体部１３は、移行部１２の基端側に延びる部分であり、その外径はほぼ均一であり、特に限定されないが、０．２６ｍｍ〜０．５０ｍｍ程度が好ましい。また、本体部１３の長さは、特に限定されないが、１０００ｍｍ〜３０００ｍｍ程度が好ましい。この本体部１３は先端部１１よりも太い。これは、手元で加えたトルクと、ガイドワイヤ１を挿入するために手元で加えた軸方向への力（押し込み力）を先端部１１へ伝えるためである。形状付けが可能な部位は、概ね先端部１１であるが、移行部１２が含まれていてもよい。
【００２８】
芯材１０の先端部１１， 移行部１２および本体部１３は、同一材料で一体に形成されていても、別部材を接合することにより形成されていてもよい。このような芯材１０は、例えば、ステンレス鋼、Ｎｉ−Ｔｉ系合金、Ｎｉ−Ａｌ系合金、Ｃｕ−Ｚｎ系合金等の超弾性合金等の種々の金属材料や、比較的高剛性の樹脂材料が挙げられ、これらのうちの１種または２種以上を組み合わせて用いることができる。
【００２９】
芯材１０の先端部１１にはＸ線造影部材２０が設けられている。造影部材２０は、コイルによって構成されている。このコイルの長さは、特に限定されないが、１０ｍｍ〜１００ｍｍ程度が好ましく、実質的に密着状態で巻かれたものである。コイルであることで、芯材１０の先端部１１のガイドワイヤ１００が曲がる場合に、先端部１１のガイドワイヤ１００全体がスムーズな曲線を描くことになる。またコイルであることにより、製造過程において先端部１１の外径に若干のバラツキがあってもコイルの内径を変えられるので、一定の間隔で固定することができる。このコイルは、予めコイルに成形されたものを先端部１１の最先端から挿入する方法と直線状の線材を芯材１０に巻き付けて切断する方法が考えられる。コイルは密着に巻かれていても、疎巻にしてもよい。また、コイルは芯材１０に直接巻き付けられているが、介装物を介して芯材１０に固定されていてもよい。介装物を介することによってコイルの外径が大きくなりＸ線透視下でコイルの位置が見えやすくなる。
【００３０】
造影部材２０は、例えば金からなるコイルである。金はＸ線不透過性が高く、すなわち高造影性を示すものとして優れている。また、目印部２１、２２は、本実施形態においてＸ線造影部材２０において一定間隔毎に表面に焼き色をつける、研磨により光沢をもたせることによってマーキングとなるマーキング部位を形成することで構成している。これによって、Ｘ線造影部材２０を構成するコイルにおいて隣接するコイルとの視覚上の差異が明確になる。本実施形態では、一例として図２，３に示すように目印部２１を略黒色、目印部２２を略灰色などで構成している。
【００３１】
このように構成することによって、比較的熟練していない術者であっても挿入する部位の形状に応じてガイドワイヤ１００の先端部を精度よく形状付けすることができ、ガイドワイヤに沿わせてカテーテル等を目的部位に迅速かつ精度よく案内することができる。また、目印部２１，２２の色を変えることによって術者が曲げようとする部位を見誤ることがなく、ガイドワイヤ１００を体内の形状に合わせて正確かつ迅速に形状づけすることができる。また、目印部２１，２２は基端側において芯材１０の断面形状が平板から円筒形状に変わることによって形状付けができなくなる境界（先端部１１と移行部１２との境界近傍）まで設けられている。このように目印部２１，２２を形状付けの可能な部位まで設けることによって、術者は曲げが可能な部位を一目で認識する事ができ、形状付けを迅速に行うことができる。
【００３２】
なお、図２，３では目印部の色を長手方向において黒色と灰色をマーキング部位のパターンとして並べるようにしたが、色の種類は図２，３に限定されず、２種類でなくてもよい。また、目印部２１，２２を構成するマーキング部位は黒色などのように一色から構成してもよい。また、目印部２１，２２の具現化としては上記のような色だけでなく、文字、図形、記号、模様、又はこれらの組み合わせ等であってもよい。
【００３３】
膨出部２３は、造影部材２０の先端側を固定し、膨出部２４は造影部材２０の基端側を固定する。膨出部２３，２４は本実施形態において半田（ろう材）で構成しているが、これに限定されず、接着剤などでもよい。また、血管内壁の損傷を防止するために、膨出部２３の先端面は、丸みを帯びているのが好ましい。
【００３４】
本実施形態において造影部材２０には、上記のような樹脂被覆層が形成されており、具体的には基端側にＰＴＦＥコート、先端の造影部材側に親水性コートが施されている。
【００３５】
本実施形態に係るガイドワイヤは、例えばＰＴＣＡの手技において用いられる。ＰＴＣＡの手技においてガイドワイヤを冠動脈等に挿入する場合、目的部位までの分岐した血管や蛇行した血管に追従させるため、術者は血管形状に合わせてガイドワイヤを形状付けする。
【００３６】
その際、術者はＣＴ画像などによってガイドワイヤ挿入部位の断層写真を取得する。断層写真による画像の解析結果によって血管分岐部等を認識することができるため、画像解析結果に基づいて術者は血管形状に合わせてＸ線造影部材２０において所定間隔で設けられた目印部２１，２２を折り曲げ、形状付けを行う。それ以降の手技は従来と同様であるため説明を省略する。
【００３７】
なお、本発明のガイドワイヤ１００は、ＰＴＣＡのほか、脳や腹部などの血管造影用や治療用のカテーテル挿入に使用可能である。
【００３８】
次に本実施形態に係る作用効果について説明する。ガイドワイヤは、体内の目的部位にまで円滑に進入させることができるように目的部位の形状などに合わせて先端部分を形状付けすることがある。しかし、ガイドワイヤ自体小さく、体内の形状に合わせて形状付けすることは術者によっては困難で、形状付けに時間を要する場合もある。
【００３９】
これに対し本実施形態に係るガイドワイヤ１００は、芯材１０と、芯材１０の先端部１１を包囲し、芯材１０を形状付けする際の指標となる目印部２１、２２を有する造影部材２０と、を有するように構成している。
【００４０】
このように、形状付けを行うガイドワイヤ１００の先端部を包囲する目印部２１，２２を有する造影部材２０を有するように構成することによって、形状付けに不慣れな術者であっても目印部２１，２２に合わせて形状付けができる。よって、感覚的にではなく、客観的な指標に従って形状付けを行うことができ、不慣れな術者でも体内の目的部位の形状に合わせてガイドワイヤの形状付けを正確に行うことができる。
【００４１】
また、目印部２１，２２は、先端から芯材１０の形状付けが可能な境界に至るまで長手方向に所定の間隔で設けるように構成している。そのため、折り曲げによる形状付けが可能な部位がどこまでかを一目で認識でき、形状付けを迅速に行うことができる。
【００４２】
また、目印部２１，２２は、長手方向において複数設け、隣り合う色を黒や灰色といったように異ならせている。そのため、体内の目的部位の形状に合わせて形状付けする際に折り曲げようとする部位を見誤る可能性を低減させることができ、ガイドワイヤを体内の形状に合わせて正確に形状付けすることが出来る。なお、隣接する目印部を異ならせる方法は、色に限定されず、上記の模様などを用いてもよい。
【００４３】
（実施形態２）
図５（Ａ）は本発明の実施形態２に係るガイドワイヤの先端部分に設けられた造影部材を示す斜視図、図５（Ｂ）は同ガイドワイヤの先端部分に設けられた造影部材の正面図である。なお、実施形態１と同様の構成には同じ符号を付し、説明を省略する事とする。
【００４４】
実施形態１ではＸ線造影部材２０の目印部２１、２２がＸ線造影部材２０の側面全周に設けられている。これに対し、実施形態２では図５（Ａ）、５（Ｂ）に示すように目印部２１ａ、２２ａが全周ではなく周方向の半周にわたって設けられている。なお、図５（Ａ）において目印部２１ａは黒色、目印部２２ａは略灰色によって構成されているが、実施形態１と同様に黒色のような一色によって構成されていても、他の文字、図形、記号などによって構成されていてもよい。
【００４５】
芯材１０の先端を平板にすることによって、芯材１０は周方向において形状付けができる方向とそうでない方向とができることになる。このような場合において、図５（Ａ）、５（Ｂ）に示すようにＸ線造影部材２０ａの外周半分に目印部２１ａ、２２ａによってマーキングを行えば、芯材１０の折り曲げが可能な上下方向にガイドワイヤ１００ａを折り曲げて形状付けできることが一目で認識できる。よって、ガイドワイヤ１００ａの形状付けを正確かつ迅速に行うことができる。
【００４６】
なお、図５（Ｂ）の方向からは、目印部２１ａ、２２ａが着色されていることがほとんど見えないが、目印部２１ａ、２２ａが周方向における半周に設けられることを説明するために誇張して図示している。
【００４７】
本発明は上述した実施形態にのみ限定されるものではなく、特許請求の範囲に応じて種々の改変が可能である。
【００４８】
上記では目印部を、Ｘ線造影部材を構成するワイヤに焼き色をつけることによって構成する実施形態について説明したが、これに限定されない。目印部は、Ｘ線造影部材（コイル）の研磨により光沢をもたせることにより形成してもよく、体内の体液によっても溶解しない塗料によって着色することにより形成してもよい。また、目印部はＸ線造影部材によって構成する代わりに、Ｘ線造影部材とは別の部材を着色することによって構成してもよく、例えば着色した別部材をＸ線造影部材の外側に被せてもよい。
【符号の説明】
【００４９】
１００  ガイドワイヤ、
１０  芯材、
１１  先端部、
１２  移行部、
１３  本体部、
２１  先端部、
２０、２０ａ  Ｘ線造影部材、
２１、２１ａ、２２、２２ａ  目印部、
２３、２４  膨出部。
【図１】
2015065979.tif 000003
【図２】
2015065979.tif 000004
【図３】
2015065979.tif 000005
【図４】
2015065979.tif 000006
【図５】
2015065979.tif 000007